(57)【要約】【課題】車両用ナットを素早く取り出すことができ、且つ車両用ナットが安定的に収納できる車両用ナット用受け装置を提供する。【解決手段】本考案の車両用ナット受け装置は、少なくとも１つの円周方向突出部と、前記円周方向突出部に隣接する複数個の軸方向溝が設けられた車両用ナットの収容空間を有する車両用ナット格納具であって、各収容空間は、底部と底部に繋がる側壁を備え、前記側壁は前記車両用ナットの突出部に対応する凹部と前記車両用ナットの溝に対応する凸部を備え、前記凹部は前記凸部と底部との間に位置することを特徴とする。【選択図】図６
0003144304.tif 000002
【実用新案登録請求の範囲】
【請求項１】
少なくとも１つの円周方向突出部と、前記円周方向突出部に隣接する複数個の軸方向溝が設けられた車両用ナットの収容空間を有する車両用ナット格納具であって、
各収容空間は、底部と底部に繋がる側壁を備え、前記側壁は前記車両用ナットの突出部に対応する凹部と前記車両用ナットの溝に対応する凸部を備え、前記凹部は前記凸部と底部との間に位置することを特徴とする車両用ナット格納具。
【請求項２】
前記突出部と前記溝とは、前記車両用ナットの外周面に設けられていることを特徴とする請求項１に記載の車両用ナット格納具。
【請求項３】
前記突出部と前記溝とは、更に、前記車両用ナットのねじ穴と、前記ねじ穴よりも外部に突出している張出縁と、を含むことを特徴とする請求項１に記載の車両用ナット格納具。
【請求項４】
前記収容空間の底部には、ナット脱着工具を格納するためのナット脱着工具収容空間が別に設けられていることを特徴とする請求項３に記載の車両用ナット格納具。
【考案の詳細な説明】
【技術分野】
【０００１】
本考案は、車両用ナット格納具に係り、より詳しくは、車両用ナットを格納して展示することができる車両用ナット格納具に関する。
【背景技術】
【０００２】
車両の車輪と車軸は複数のボルトとナットで固定され、回転する。
車両用ナットに関しては、台湾特許第Ｍ２６８４６９号公報及び台湾特許第５５９２５２号公報に開示されたものがある。
【０００３】
台湾特許第Ｍ２６８４６９号公報に記載されている車両用締付ナットは、アルミ合金製で、前端にねじ穴があり、ねじ穴は後端まで貫通している。
前端は円錐体となっており、円錐体の後側には六角断面部分が連接されている。ねじ穴の内部は高強度ブッシュで補強されている。補強ブッシュの断面はねじ穴の内ねじに対応して菱形状となっている。補強ブッシュにボルとをねじ込んでアクスルシャフトに固定するようになっている。
【０００４】
台湾特許第５５９２５２号公報は、盗難防止型車輪用取付ナット及びブッシュに関するものである。
盗難防止ナットの表面には、異なる寸法で配列が工夫された力受け部が複数凹設されており、これらの力受け部と通常のブッシュは互いに噛合うことができないので、盗難を防止する目的を達成することができる。
【０００５】
上記特許に提案された二種類の車両用ナットは、図１に示すように、受け装置１に置かれる。受け装置１は、可撓性のある発泡材料製で、第一受け体１０１と第二受け体１０２とを含む。第一受け体１０１と第二受け体１０２には、それぞれ収納孔１０３，１０５，１０４，１０６が複数設けられており、収納孔１０３，１０５，１０４，１０６により車両用ナット２０が安定して収容される。
【０００６】
受け装置１に車両用ナット２０を収納する場合には、収納孔１０３，１０４に車両用ナット２０を交互に置いて収納孔１０５，１０６に別の車両用ナット２０を収納すると第一受け体１０１と第二受け体１０２が連接されるが、そうすると、組付工数が増加すると共に、収納孔１０３，１０５，１０４，１０６に車両用ナット２０を入れると、車両用ナット２０が見えなくなり、消費者は容易に選択することができなくなる。且つ、受け装置１を運搬し、又は反転するときには、収納孔１０３，１０５，１０４，１０６が両側に貫通しているので、重力によって車両用ナット２０が脱落し易く、また、受け装置１が撓み易いため車両用ナット２０の位置を規制することができない。
【特許文献１】特開２００２−２８４０６４号公報
【考案の開示】
【考案が解決しようとする課題】
【０００７】
本考案の目的は、車両用ナットを素早く取り出すことができ、且つ車両用ナットが安定的に収納できる車両用ナット用受け装置を提供することにある。
【課題を解決するための手段】
【０００８】
本考案の車両用ナット受け装置は、少なくとも１つの円周方向突出部と、前記円周方向突出部に隣接する複数個の軸方向溝が設けられた車両用ナットの収容空間を有する車両用ナット格納具であって、各収容空間は、底部と底部に繋がる側壁を備え、前記側壁は前記車両用ナットの突出部に対応する凹部と前記車両用ナットの溝に対応する凸部を備え、前記凹部は前記凸部と底部との間に位置することを特徴とする。
【０００９】
前記突出部と前記溝とは、前記車両用ナットの外周面に設けられていることを特徴とする。
【００１０】
前記突出部と前記溝とは、更に、前記車両用ナットのねじ穴と、前記ねじ穴よりも外部に突出している張出縁と、を含むことを特徴とする。
【００１１】
前記収容空間の底部には、ナット脱着工具を格納するためのナット脱着工具収容空間が別に設けられていることを特徴とする。
【考案の効果】
【００１２】
本考案の車両用ナット受け装置は、製造者にとっては、車両用ナットが安定的に収納でき、また車両用ナットを容易に取り出すことができるほか、消費者は、一目で各車両用ナットの用途を知ることができるため車両用ナットの選択が容易になる効果がある。
【考案を実施するための最良の形態】
【００１３】
以下、本考案の実施の形態を図面に基づいて説明する。
【実施例１】
【００１４】
図２は本考案の実施例１に係る車両用ナット用受け装置の概略図であり、図３は図２における車両用ナット用受け装置の断面図である。
本考案の実施例１で収納可能な車両用ナット２０には、円錐部２１と、少なくとも１つの円周方向突出部２１１と、円周方向突出部２１１に隣接する複数個の軸方向溝２１２が設けられている。
受け装置１に車両用ナット２０を組付ける際には、受け装置１に対向するジグに組付けられている複数の車両用ナット２０を受け装置１に設けられた複数の収容空間１１に一回で押し込むことにより、複数の車両用ナット２０の受け装置１への組付作業が完了する。
【００１５】
収容空間１１は、底部１１０と、底部１１０と連続している側壁１１１からなり、側壁１１１には、それぞれ車両用ナット２０の円周方向突出部２１１と、溝２１２に対応する凹部１１３と、凸部１１２とが設けられている。凹部１１３は凸部１１２と底部１１０の間に位置しており、本実施例では、車両用ナット２０を収容空間１１に鉛直に挿入できる。
【実施例２】
【００１６】
図４は、本考案の実施例２に係る車両用ナット用受け装置の概略図、図５は図４における車両用ナット用受け装置の断面図である。
本考案の実施例２が実施例１と異なる点は、収容空間１１ａに車両用ナット２０を水平に挿入すること、凹部２１２ａと凸部２１１ａとが設けられていることである。収容空間１１ａの側壁１１１ａに設けられた、凸部１１２ａと、凹部１１３ａは、凹部２１２ａ、凸部２１１ａにそれぞれ対応し、凹部１１３ａは凸部１１２ａと底部１１０ａの間に位置している。なお、受け装置１０ａの収容空間１１ａには、車両用ナット２０を挟むためのストッパー１１４が設けられており、ストッパー１１４により、受け装置１０ａが反転されても、車両用ナット２０が受け装置１０ａから離脱することはない。
【実施例３】
【００１７】
図６は本考案の実施例３の概略図、図７は図６の車両用ナット用受け装置の断面図、図８は図６の車両用ナット用受け装置の別の断面図である。
図６乃至図８に示す通り、上記２つの実施例を一つの受け装置１０ｂに統合してもよい。そうすると、用途、又は展示しようとする態様によって、収容空間１１，１１ａに車両用ナット２０を垂直に、又は水平に挿入することができる。この場合、特に、車両用ナット２０が水平に挿入可能な収容空間１１ａの底部１１０ａには、更に、ナット脱着工具３０を収容するための受け空間１３が増設されている。受け空間１３には、ナット脱着工具３０を挟んで凸部１３１及び凹部１３２が設けられており、受け空間１３の一側には、ナット脱着工具３０の取出を容易にするための補助切り欠１３３が設けられる。なお、受け装置１０，１０ａ，１０ｂの上下面の凹凸構造により、受け装置１０，１０ａ，１０ｂを積上げる場合には、その高さが従来のものよりも低いので、省スペースの目的を達成することができる。
【００１８】
以上、本発明の好ましい実施形態について説明したが、本発明は前記実施例に限定されず、本発明の属する技術範囲を逸脱しない範囲での全ての変更が含まれる。
【図面の簡単な説明】
【００１９】
【図１】従来の車両用ナット用受け装置の概略図である。
【図２】本考案の実施例１に係る車両用ナット用受け装置の概略図である。
【図３】図２における車両用ナット用受け装置の断面図である。
【図４】本考案の実施例２に係る車両用ナット用受け装置の概略図である。
【図５】図４における車両用ナット用受け装置の断面図である。
【図６】本考案の実施例３に係る車両用ナット用受け装置の概略図である。
【図７】図６における車両用ナット用受け装置の断面図である。
【図８】図６における車両用ナット用受け装置の別の断面図である。
【符号の説明】
【００２０】
１      受け装置
１０    受け装置
１０ａ  受け装置
１０ｂ  受け装置
１１    収容空間
１１ａ  収容空間
１３    受け空間
２０    車両用ナット
２１    円錐部
３０    ナット脱着工具
１０１  第一受け体
１０２  第二受け体
１０３  １０５，１０４，１０６  収納孔
１１０    底部
１１０ａ  底部
１１１    側壁
１１１ａ  側壁
１１２    凸部
１１２ａ  凸部
１１３    凹部
１１３ａ  凹部
１１４    ストッパー
１３１    凸部
１３２    凹部  
１３３    補助切り欠
２１１    円周方向突出部
２１１ａ  凸部
２１２    軸方向溝
２１２ａ  凹部
【図１】
0003144304.tif 000003
【図２】
0003144304.tif 000004
【図３】
0003144304.tif 000005
【図４】
0003144304.tif 000006
【図５】
0003144304.tif 000007
【図６】
0003144304.tif 000008
【図７】
0003144304.tif 000009
【図８】
0003144304.tif 000010